(57)【要約】【課題】片引き用の開閉機構を２つ使用することなく、左右の扉の移動量が異なる引分け引戸を提供する。【解決手段】１つの無端索体３を介して２枚の扉１，２を移動させる引分け引戸の開閉装置である。２枚の扉は幅広の親扉２と幅狭の子扉１からなり、親扉２と子扉１とは無端索体３の移動に伴って互いに異なる方向に移動するように夫々ブラケット６，７を介して索体３に連繋されている。親扉２はブラケット７を介して索体３１に固定されることで索体３と同期して移動する。索体３０には子扉１のブラケット６を挟むようにして２つの当接体１２，１３が親扉の幅と子扉の幅の差と略同じ寸法を存して固定されている。子扉１のブラケット６は当接体１２，１３が当接する当接受部１４０，１４１を有していると共に、索体３０は当接受部１４０，１４１を移動自在に挿通しており、子扉１は、当接体１２，１３が当接受部１４０，１４１に当接した時に索体３と同期して移動する。【選択図】図２
2005016177.tif 000002
【特許請求の範囲】
【請求項１】
開口部上方に設けた１つの無端索体を介して２枚の扉を移動させる引分け引戸の開閉装置において、該２枚の扉は幅広の親扉と幅狭の子扉からなり、該親扉と該子扉とは該無端索体の移動に伴って互いに異なる方向に移動するように夫々ブラケットを介して該索体に連繋されており、該親扉はブラケットを介して該索体に固定されることで該索体と同期して移動し、該索体には該子扉のブラケットを挟むようにして２つの当接体が所定間隔を存して固定されており、該子扉のブラケットは該当接体が当接する当接受部を有していると共に、該索体は該当接受部を移動自在に挿通しており、開口部全閉時には一方の当接体が一方の当接受部に当接していると共に他方の当接体は他方の当接受部から離隔しており、開口部全開時には他方の当接体が他方の当接受部に当接していると共に一方の当接体は一方の当接受部から離隔しており、開口部開放時には、該索体の移動に伴って、他方の当接体が他方の当接部に当接した時に該子扉が該索体と同期して移動し、開口部閉鎖時には、該索体の移動に伴って、一方の当接体が一方の当接部に当接した時に該子扉が該索体と同期して移動するように構成されていることを特徴とする引分け引戸の開閉装置。
【請求項２】
請求項１において、２つの当接体の間の距離は、親扉の幅と子扉の幅の差と略同じであることを特徴とする引分け引戸の開閉装置。
【発明の詳細な説明】
【０００１】
【発明の属する技術分野】
本発明は、引分け引戸に係り、詳しくは、左右の扉の移動量が異なる引分け引戸における扉の開閉伝達機構に関するものである。
【０００２】
【従来の技術】
いわゆる引分け引き戸は、図１上図に示すように、一方の扉が無端チェーンの上側に、他方の扉が無端チェーンの下側に連結されており、無端チェーンを介して左右の扉が連動して互いに反対の方向に移動するように構成されている。
【０００３】
自動ドアや半自動の引き分け扉において、納まり上、左右の扉のどちらかの戸袋スペース部を十分に確保できない場合がある。このような場合には、左右の扉のＤＷ寸法を変える必要があるが、通常、自動ドアや半自動の引き分け扉は左右の扉が連動して移動する機構を採用していることから、左右の扉の移動量が同じとなり、左右の扉のＤＷ寸法を変えることが出来なかった（図１下図参照）。
【０００４】
そのため、納まり上、左右の扉のどちらかの戸袋スペース部を十分に確保できない場合には、片引き用の自動ドアや半自動扉を左右勝手反対に配置して独立の開閉駆動機構を設けることとなり、この場合、左右の扉を連動させて開閉させるという引分け引戸の利点が失われてしまう。さらに、駆動装置を２つ用いるとなると、コスト高を招くことになってしまう。
【０００５】
【特許文献１】実開昭５８−１２８２８４
【特許文献２】実開昭６１−１０８７８２
【０００６】
【発明が解決しようとする課題】
本発明は、上記不具合を解決するために創案されたものであって、片引き用の開閉機構を２つ使用することなく、左右の扉の移動量が異なる引分け引戸を提供することにある。
【０００７】
【課題を解決するための手段】
かかる課題を達成するために本発明が採用した技術手段は、開口部上方に設けた１つの無端索体を介して２枚の扉を移動させる引分け引戸の開閉装置において、該２枚の扉は幅広の親扉と幅狭の子扉からなり、該親扉と該子扉とは該無端索体の移動に伴って互いに異なる方向に移動するように夫々ブラケットを介して該索体に連繋されており、該親扉はブラケットを介して該索体に固定されることで該索体と同期して移動し、該索体には該子扉のブラケットを挟むようにして２つの当接体が所定間隔を存して固定されており、該子扉のブラケットは該当接体が当接する当接受部を有していると共に、該索体は該当接受部を移動自在に挿通しており、開口部全閉時には一方の当接体が一方の当接受部に当接していると共に他方の当接体は他方の当接受部から離隔しており、開口部全開時には他方の当接体が他方の当接受部に当接していると共に一方の当接体は一方の当接受部から離隔しており、開口部開放時には、該索体の移動に伴って、他方の当接体が他方の当接部に当接した時に該子扉が該索体と同期して移動し、開口部閉鎖時には、該索体の移動に伴って、一方の当接体が一方の当接部に当接した時に該子扉が該索体と同期して移動するように構成されていることを特徴とするものである。
【０００８】
本発明では、２つの当接ブロック間の距離だけ、子扉の移動量が規制されており、当接ブロック間では索体が子扉のブラケットを挿通して自由に移動できるので、索体の移動にかかわらず子扉は移動しない。索体が当接ブロック間の距離だけ移動して、当接ブロックが索体の進行方向前方に位置する子扉のブラケットの当接受部に当接して該ブラケットを押すことで初めて索体の移動と子扉の移動が同期する。好ましくは、２つの当接体の間の距離は、親扉の幅と子扉の幅の差と略同じである。
【０００９】
本発明は、扉の移動に係る伝達機構に関するものであり、扉の駆動手段については特には限定されず、バネ等の機械的な手段、電動モータ等の電気的な手段、あるいは手動操作であってもよい。また、扉を駆動装置によって移動させる場合には、一つの駆動装置を設けるだけで親扉および子扉の双方を移動させることができる。
【００１０】
【発明の実施の形態】
図２は、本発明に係る引戸の開閉装置を示す概略図であって、幅ａの幅狭の扉１と幅ｂの幅広の扉２とから開口部を開閉するようになっており、幅狭の扉１を子扉、幅広の扉２を親扉とする。親子扉１，２からなる引戸は、一つの好ましい例では防火扉として用いられ、建物内部の開口部に設置され、常時は該開口部は開放されており、火災時等に２枚の親子扉１，２が互いに接近するように移動して該開口部を閉鎖する。開口部の一方の側部（図では左側）に十分な戸袋スペースが確保できないような場合に、互いに幅寸法が異なる親子扉１，２からなる引戸を採用し、幅狭の子扉１を幅狭の戸袋スペースに収納する。図２において、実線の親子扉１，２は開口部閉鎖状態を示し、点線の親子扉１，２は開口部開放状態を示しており、点線の親子扉１，２はそれぞれ図示しない戸袋部に収納される。
【００１１】
開口部の上方には、扉１，２の開閉機構を構成する１つの無端索体３が設けてある。無端索体３は、開口部の上方に間隔を存して配設した左右のローラ４，５に巻回されており、無端索体３はローラ４，５に案内されながら移動可能となっている。無端索体３の材質や形状は限定されず、無端チェーン、無端ベルト、無端ワイヤを含む。
【００１２】
無端索体３は、上下に並行して水平方向に延出する上側の索体３０と下側の索体３１とを有する。子扉１は上側の索体３０の移動に伴って、親扉２は下側の索体３１の移動に伴ってそれぞれ移動するように索体３に連繋されており、上側の索体３０と下側の索体３１は反対方向に移動するので、索体３の移動に伴って、子扉１と親扉２とは互いに反対方向に移動する。尚、子扉１が下側の索体３１に、親扉２が上側の索体３０にそれぞれ連繋するように構成してもよい。
【００１３】
子扉１、親扉２の上部には、それぞれブラケット６，７が設けてあり、ブラケット６，７には回転可能なハンガーローラ８が設けてある。開口部の上方には、ハンガーレール９が水平方向に延設されており、子扉１、親扉２はその上部のブラケット６，７を介して設けたハンガーローラ８がハンガーレール９上を転動することで、ハンガーレール９から吊持されながら左右方向に案内され移動するように構成されている。図では、それぞれ一つのブラケット６，７のみを示したが、好適には、各扉の上部には２つのブラケットが設けてある。
【００１４】
子扉１、親扉２は夫々ブラケット６，７を介して無端索体３と動力伝達可能な態様（無端索体３の移動に伴って扉１，２が移動する）で連繋されている。尚、ブラケット６，７の形状や構成、個数は図示のものに限定されない。以下具体的に説明する。親扉２の上方に設けたブラケット７には索体固定金具１０が設けてあり、下側の索体３１が索体固定金具１０を介してブラケット７に固定されている。下側の索体３１と親扉２とを固定することで、索体３の移動に同期して親扉２が移動するようになっている。図示のものでは、固定金具１０は固定プレート１１を有しており、固定金具本体とプレート１１間に索体３１を挟持させて本体とプレート１１とを螺子で固定している。尚、索体３の移動に同期して親扉２が移動できるものであれば、索体３１と親扉２のブラケット７との固定手段はいかなる手段であってもよい。
【００１５】
上側の索体３０には所定間隔を存して２つの当接ブロック１２，１３が設けてあり、一方、子扉１の上方に設けたブラケット６には、ブロック受金具１４が設けてある。２つの当接ブロック１２，１３は、ブラケット６（ブロック受金具１４）を挟むようにして、それぞれ反対側に配設されている。２つの当接ブロック１２，１３間の距離ｃは、親扉２の幅（移動量）ｂと子扉１の幅ａの差に実質的に対応している。ブロック受金具１４は、２つの当接ブロック１２，１３がそれぞれ当接する対向状の当接受片１４０，１４１を有しており、当接受片１４０，１４１には索体３０の挿通孔（図示せず）が形成されている。挿通孔は、索体３０の断面よりも大きく、かつ、当接ブロック１２，１３の断面よりも小さい寸法を有し、索体３０を挿通可能とすると共に、当接ブロック１２，１３が当接受片に当接するようになっている。挿通孔の形状は限定されず、丸孔でも細長状のスリットでもよい。図示のものでは、当接ブロック１２，１３は短尺円柱体であるが、当接ブロック１２，１３の形状はこのものに限定されない。ブロック受金具１４は断面視ハット型の部材であり、立ち上がり部がそれぞれ当接受片１４０，１４１を形成しているが、ブロック受金具１４の形状はこのものには限定されない。例えば、ブロック受金具及び当接受片を別体の２部材から構成してもよい。図示のものでは、２つの当接受片１４０，１４１のそれぞれの一方の面が当接受部を構成しているが、一つの片から当接受片を構成し、該片の一方の面、他方の面をそれぞれ当接受部としてもよい。
【００１６】
当接ブロック１２，１３が上側の索体３０の進行方向側にある子扉１のブラケット６の当接受片１４０，１４１に当接してない時には、上側の索体３０が当接受片１４０，１４１の挿通孔内を自由に移動することで、索体３０が移動しても子扉１は移動しない。親扉２の移動に伴って上側の索体３０が移動して行くうちにいずれかの当接ブロック１２，１３が索体３０の進行方向前方にある当接受片１４０，１４１に当接すると、当接したいずれかの当接ブロック１２，１３が当接受片１４０，１４１に当接しながらブラケット６、子扉１を移動させる。
【００１７】
無端索体３が移動すると、親扉２は無端索体３の移動距離と同じ距離だけ移動する。一方、子扉１のブラケット６は寸法ｃの間隔で離間して設けた当接ブロック１２，１３間をフリーに移動することができ、無端索体３が移動量ｃだけ移動した後に、ブラケット６がいずれかの当接ブロック１２，１３に押されて移動することになる。よって、子扉２の移動距離ａはｂ−ｃとなり、子扉２の戸袋部の寸法を親扉１の戸袋部に比べてｃだけ小さくすることができる。
【００１８】
開口部全閉時には一方の当接体１２が一方の当接受部１４０に当接していると共に、他方の当接体１３は他方の当接受部１４１から離隔している。開口部開放時には、索体３０の移動に伴って、他方の当接体１３が他方の当接部に当接した時１４１に子扉１が索体３０と同期して移動する。具体的には、図２の実線部分、図３では、左側の当接ブロック１２が当接受片１４０の左側の面に当接している状態を示しており、この状態は、左側の当接ブロック１２が当接受片１４０に当接しながら移動することで、子扉１を開口部閉鎖方向に移動させて、開口部を閉鎖した状態である。開口部開放時に、この状態から図２、図３の矢印方向に無端索体３を移動させると、上側の索体３０は当接受片１４０，１４１の挿通孔を挿通しながら移動して行き、左側の当接ブロック１２が当接受片１４０から離隔して行くと共に、右側の当接ブロック１３が索体３０の進行方向前方に位置する当接受片１４１に接近して行く。無端索体３が移動量ｃだけ移動した後に、右側の当接ブロック１３が当接受片１４１の右側の面（当接受部）に当接し、無端索体３の移動と同期して子扉１が移動する。無端索体３の移動中は親扉２は常時移動しており、親扉２がｂだけ移動して戸袋部に収納された時には、子扉１もａだけ移動して戸袋部に収納されることになる。
【００１９】
開口部全開時には他方の当接体１３が他方の当接受部１４１に当接していると共に、一方の当接体１２は一方の当接受部１４０から離隔している。開口部閉鎖時には、索体３０の移動に伴って、一方の当接体１２が一方の当接部１４０に当接した時に子扉１が索体３０と同期して移動する。具体的には、開口部開放状態では、右側の当接ブロック１３が当接受片１４１の右側の面（当接受部）に当接した状態となる。この状態から開口部を閉鎖する時には、当接ブロック１２が上側の索体３０の進行方向側にある子扉１のブラケット６の当接受片１４０から離隔した状態にあり、上側の索体３０が当接受片１４０，１４１の挿通孔内を自由に移動することで、索体３０が移動しても子扉１は移動しない。無端索体３が移動量ｃだけ移動した後に、当接ブロック１２が当接受片１４０の左側の面（当接受部）に当接し、無端索体３の移動と同期して子扉１が移動する。無端索体３の移動中は親扉２は常時移動しており、親扉２がｂだけ移動して開口部の一部を閉鎖した時には、子扉１もａだけ移動して開口部の一部を閉鎖するように構成されており、この時、親扉２と子扉１の戸先側端面同士が当接する。
【００２０】
引戸の駆動手段について説明する。引戸を防火扉として用いる場合には、左右の扉１，２を図示しない自閉装置等を用いて閉鎖方向に移動するように構成し、常時は、自閉装置が働かないように自閉装置の作動を規制することで扉を開口部開放位置（図２の点線で示す扉１，２）に維持させておき、火災の感知によって、自閉装置の作動の規制を解除して、自閉装置で扉体１，２を移動させて開口部を閉鎖する。
【００２１】
引戸の駆動手段は、上記のものに限定されるものではなく、例えば、いずれか一方のローラ５を図示しない図示しない電動モータと伝動連結し、該ローラ５を駆動ローラとして無端索体３を移動させて、無端索体３の移動を介して扉１，２を移動させてもよい。あるいは、手動で扉１，２を移動させるものであってもよい。
【００２２】
【発明の効果】
本発明では、索体には子扉のブラケットを挟むようにして２つの当接体が所定間隔を存して固定されており、該子扉のブラケットは該当接体が当接する当接受部を有していると共に、該索体は該当接受部を移動自在に挿通しており、該子扉は、該当接体が索体の移動方向前方側に位置する当接受部に当接した時にのみ該索体と同期して移動するように構成したので、幅狭の子扉側に対応する索体を所定長さだけ子扉からフリーな状態で移動可能とすることで、幅狭の子扉と幅広の親扉との移動量を調整すると共に、当接体と当接受部とからなる連繋手段によって子扉を索体の移動に伴って移動させることを可能とした。したがって、左右の扉の移動量が異なる引分け引戸を提供することができ、子扉が収納される戸袋部の寸法を小さくすることが可能となる。また、親子扉を駆動装置で移動させる場合に、一つの駆動装置で親扉および子扉の双方を駆動させることができる。さらに、本発明は、当接体を設ける位置によって、様々な異なる幅寸法を有する親扉と子扉からなる親子扉に対応することができる。
【図面の簡単な説明】
【図１】上図は左右均等扉を有する従来の引分け引戸の概略図であり、下図は従来の引分け引戸の開閉機構を親子扉に適用したものを示す図である。
【図２】本発明に係る引分け引戸の概略図である。
【図３】本発明の要部を示す部分図であって、左側は子扉と無端索体との連繋機構、右側は親扉の無端索体との連繋機構を示している。平面図は、当接ブロックと当接受金具との関係を示しているが、ここでは、当接ブロックと当接受金具が離間した状態を示している。
【図４】（ａ）は親扉と無端索体との連繋を示す親扉の縦断面図であり、（ｂ）は子扉と無端索体との連繋を示す子扉の縦断面図であり、（ｃ）はローラ部を示す縦断面図である。
【符号の説明】
１  子扉
２  親扉
３  無端索体
３０  上側索体
３１  下側索体
４  ローラ
５  ローラ
６  ブラケット
７  ブラケット
１３  当接ブロック
１４  当接受金具
１４０  当接受片
１４１  当接受片
【図１】
2005016177.tif 000003
【図２】
2005016177.tif 000004
【図３】
2005016177.tif 000005
【図４】
2005016177.tif 000006